(57)【要約】【目的】本発明は、機器位置判定システムおよび機器位置判定方法に関し、障害の発生した機器がどのコンセントのどの口に接続されているか、障害の発生した機器が設置された当初とは異なるコンセントや同一のコンセントであっても異なる接続口に接続されていたとしても自動的に把握することを目的とする。【構成】監視対象の機器と、機器を識別する機器識別情報を取得してテーブルに登録して管理するコンセントボックスと、監視対象の機器の監視を行う監視サーバとを備え、監視サーバが監視対象のいずれかの機器の障害を検出した場合に、障害発生した機器を接続しているコンセントボックスに、あるいはブロードキャストで障害発生した機器を指定してコンセントボックスに、障害検出の旨の情報を送信し、コンセントボックスが情報を受信してテーブルを参照して該当する機器の電源が接続されているコンセント口の表示器を点灯あるいはメッセージを表示する。【選択図】        図１
2012205158.tif 000002
【特許請求の範囲】
【請求項１】
ネットワークに接続された複数の監視対象の機器の接続位置を判定する機器位置判定システムにおいて、
ネットワークに接続された監視対象の機器と、
ネットワークに接続され、電源を前記機器に供給すると共に電源を供給する電源供給線を介して当該機器を識別する機器識別情報を取得してテーブルに登録して管理するコンセントボックスと、
ネットワークに接続された前記監視対象の機器の監視を行う監視サーバとを備え、
前記監視サーバが前記監視対象のいずれかの機器の障害を検出した場合に、障害検出した機器を接続している前記コンセントボックスに、あるいはブロードキャストで当該障害発生した機器を指定して前記コンセントボックスに、障害検出の旨の情報を送信し、該当コンセントボックスが当該情報を受信して前記テーブルを参照して該当する機器の電源が接続されているコンセント口の表示器を点灯あるいはメッセージを表示する、
ことを特徴とする機器位置判定システム。
【請求項２】
前記コンセントボックスは、随時あるいは所定時間毎に、電源を供給している電源供給線を介して接続されている機器にメッセージを送信してその応答があったときに、前記テーブルに当該応答のあった機器の機器識別情報を上書きして更新、および応答がなかった機器の機器識別情報を削除する手段を備えたことを特徴とする請求項１記載の機器位置判定システム。
【請求項３】
前記機器識別情報は、ＭＡＣアドレスおよびＩＰアドレスとしたことを特徴とする請求項１あるいは請求項２記載の機器位置判定システム。
【請求項４】
前記監視サーバあるいは前記監視対象の機器が前記監視対象のいずれかの機器を指定したシャットダウンコマンドあるいはネットワークエラーを該当コンセントボックスに送信、あるいはブロードキャストで当該シャットダウンあるいはネットワークエラーの機器を指定してコンセントボックス送信し、該当コンセントボックスが当該シャットダウンコマンドあるいはネットワークエラーを受信して前記テーブルを参照して該当する機器に電源を供給している該当コンセント口の表示器を点灯あるいはメッセージを表示する、
ことを特徴とする請求項１から請求項３のいずれかに記載の機器位置判定システム。
【請求項５】
ネットワークに接続された複数の監視対象の機器の接続位置を判定する機器位置判定方法において、
ネットワークに接続された監視対象の機器と、
ネットワークに接続され、電源を前記機器に供給すると共に電源を供給する電源供給線を介して当該機器を識別する機器識別情報を取得してテーブルに登録して管理するコンセントボックスと、
ネットワークに接続された前記監視対象の機器の監視を行う監視サーバとを設け、
前記監視サーバが前記監視対象のいずれかの機器の障害を検出した場合に、障害検出した機器を接続している前記コンセントボックスに、あるいはブロードキャストで当該障害発生した機器を指定して前記コンセントボックスに、障害検出の旨の情報を送信し、該当コンセントボックスが当該情報を受信して前記テーブルを参照して該当する機器の電源が接続されているコンセント口の表示器を点灯あるいはメッセージを表示するステップ
を有する機器位置判定方法。
【発明の詳細な説明】
【技術分野】
【０００１】
本発明は、ネットワークに接続された複数の監視対象の機器の接続位置を判定する機器位置判定システムおよび機器位置判定方法に関するものである。
【背景技術】
【０００２】
従来、ネットワークに接続された機器にトラブルが発生した際に、ネットワークに接続された監視機器を利用して機器のトラブルの原因の切り分けを行い、切り分け結果よりハード障害が見られた場合には、保守要員を現地に派遣し、機器のトラブルの復旧を行う。現地にて保守要員が機器の装着されたサーバラックの作業を行う場合、事前に顧客から提供を受けている機器構成図やラック構成図を参照して障害発生の機器を特定していた。しかし、顧客先の機器構成図は更新されているにもかかわらず保守要員に提供されていた機器構成図に修正情報が伝わっておらず、誤って古い情報の機器構成図をもとに障害発生の機器の特定を行うことがあり、基本的には被監視機器の号機を確認することにより誤って違う機器の操作を行うことは無いはずであるが、たまたま入れ替わった機器が同じ機器であった場合などに誤って復旧作業を開始してしまいトラブルを拡大してしまうことがある。
【０００３】
これらの問題を解決するために、電力線を用いて、各電子機器の所在位置管理を行う方法として、ＰＬＣ対応インテリジェントコンセントを利用し、コンセント毎にサブネットワークを構成、管理し、コンセント単位で情報端末の位置を把握する技術がある（特許文献１）。
【０００４】
また、オペレータの手入力によりコンセントとコンセントに接続されている機器との関連付ける初期設定処理開始の操作を実行し、メモリに初期設定情報として登録し、これを用いたコンセントに接続されている機器を管理する技術がある（特許文献２）。
【特許文献１】特開２００８−２２７５６１号公報
【特許文献２】特開２００３−７８４５８号公報
【発明の開示】
【発明が解決しようとする課題】
【０００５】
上述した従来の前者の技術では、コンセント毎にサブネットワークを構成、管理するため、障害機器がどのコンセントの口に接続されているか分からず、障害機器の接続先を特定することはできないという問題がある。
【０００６】
また、上述した従来の後者の技術では、コンセントと機器との関連づけを手入力で初期設定していたため、設定後に顧客により機器が他のコンセントに接続するように移動されて関連づけた情報と実態に相違が出てしまい、機器の実際のコンセントの接続する位置が分からなくなってしまうという問題がある。
【課題を解決するための手段】
【０００７】
本発明は、これらの問題を解決するために、障害の発生した機器がどのコンセントのどの口に接続されているか、障害の発生した機器が設置された当初とは異なるコンセントや同一のコンセントであっても異なる接続口に接続されていたとしても自動的に把握することを目的としている。
【０００８】
そのため、本発明は、ネットワークに接続された複数の監視対象の機器の接続位置を判定する機器位置判定システムにおいて、ネットワークに接続された監視対象の機器と、ネットワークに接続され、電源を前記機器に供給すると共に電源を供給する電源供給線を介して当該機器を識別する機器識別情報を取得してテーブルに登録して管理するコンセントボックスと、ネットワークに接続された監視対象の機器の監視を行う監視サーバとを備え、監視サーバが監視対象のいずれかの機器の障害を検出した場合に、障害検出した機器を接続しているコンセントボックスに、あるいはブロードキャストで障害発生した機器を指定してコンセントボックスに、障害検出の旨の情報を送信し、コンセントボックスが情報を受信してテーブルを参照して該当する機器の電源が接続されているコンセント口の表示器を点灯あるいはメッセージを表示するようにしている。
【０００９】
この際、コンセントボックスは、随時あるいは所定時間毎に、電源を供給している電源供給線を介して接続されている機器にメッセージを送信してその応答があったときに、テーブルに応答のあった機器の機器識別情報を上書きして更新、および応答がなかった機器の機器識別情報を削除する手段を備えるようにしている。
【００１０】
また、機器識別情報は、ＭＡＣアドレスおよびＩＰアドレスとするようにしている。
【００１１】
また、監視サーバあるいは監視対象の機器が監視対象のいずれかの機器を指定したシャットダウンコマンドあるいはネットワークエラーをコンセントボックスに送信、あるいはブロードキャストでシャットダウンあるいはネットワークエラーの機器を指定してコンセントボックス送信し、コンセントボックスがシャットダウンコマンドあるいはネットワークエラーを受信してテーブルを参照して該当する機器に電源を供給しているコンセント口の表示器を点灯あるいはメッセージを表示するようにしている。
【発明の効果】
【００１２】
本発明は、障害の発生した機器がどのコンセントのどの口に接続されているか、障害の発生した機器が設置された当初とは異なるコンセントや同一のコンセントであっても異なる接続口に接続されていたとしても自動的に把握することが可能となる。
【発明を実施するための最良の形態】
【００１３】
本発明は、障害の発生した機器がどのコンセントのどの口に接続されているか、障害の発生した機器が設置された当初とは異なるコンセントや同一のコンセントであっても異なる接続口に接続されていたとしても自動的に把握することを実現した。
【実施例１】
【００１４】
図１は、本発明のシステム構成図を示す。
【００１５】
図１において、監視サーバ１は、ネットワーク（例えばＬＡＮ）に接続された複数の被監視サーバ６を監視して障害発生した場合に保守要員の派遣を指示し、当該障害を解消させて通常運用に復旧させたりなどするものであって、制御部１１などから構成されるものである（図２から図７を用いて後述する）。
【００１６】
制御部１１は、プログラムに従い各種制御を行うものであって、複数の被監視サーバ６に障害発生していないか監視して検出したり、障害検出した場合に当該障害発生した被監視サーバ６の電源ラインを接続しているコンセントボックス４のコンセント口のランプを点灯して障害発生した被監視サーバ６の位置を特定し易くしたりなどするものである（図２から図７を用いて後述する）。
【００１７】
ルータ２は、ネットワーク網、ＬＡＮ（社内ＬＡＮなど）とを接続するルータである。
【００１８】
ハブ３は、ルータ２からのＬＡＮ接続を複数に分岐するものである。
【００１９】
コンセントボックス４は、商業電源７を各被監視サーバ６に供給するコンセント口（コンセント）４１を設け、障害発生時に指定された被監視サーバ６のコンセント口４１の情報表示機４２に表示（あるいは点灯）したりなどするものであって、コンセント口４１、情報表示器４２、制御部４３などから構成されるものである（図２から図７を用いて後述する）。
【００２０】
コンセント口（コンセント）４１は、商用電源７を被監視サーバ６に供給するコンセント口（コンセント）である。
【００２１】
情報表示器４２は、障害発生時やシャットダウンなどの指示があったときに、該当する被監視サーバ６のコンセント口４１に対応する部分に情報（障害発生した被監視サーバ６、シャットダウン指示した被監視サーバ６、ネットワークエラーの発生した被監視サーバ６など）を表示するものである。
【００２２】
制御部４３は、プログラムに従い各種制御を行うものであって、障害検出、シャットダウン指示、ネットワークエラー発生の該当する被監視サーバ６のコンセント口４１の情報表示器４２に表示（点灯）したり、コンセント口４１に接続されている被監視サーバ６の機器識別情報（例えばＭＡＣアドレス、ＩＰアドレスなど）を収集して構成情報テーブル４４に更新して管理したりなどするものであって、構成情報テーブル４４などから構成されるものである（図２から図７を用いて後述する）。
【００２３】
構成情報テーブル４４は、コンセントボックス４毎に設け、当該コンセントボックス４のコンセント口４１に接続されている被監視サーバ６の機器識別情報（例えばＭＡＣアドレス、ＩＰアドレスなど）を収集して上書き更新して常に最新の情報を保持するものである（図２、図３などを用いて後述する）。
【００２４】
信号合成機５は、信号を合成するものである。
【００２５】
電源ライン５１は、コンセントボックス４の被監視サーバ６に対応づけたコンセント口４１から当該被監視サーバ６に電源（商用電源）を供給するものであって、ここでは、商用電源の供給と共に、高周波信号を重畳して載せて送受信して情報を送受信（コンセントボックス４と該当被監視サーバ６との間で情報を送受信）するためのものである。
【００２６】
被監視サーバ６は、ＬＡＮ（ネットワーク）に接続された、監視対象の被監視サーバ（機器）６であって、制御部６１などから構成されるものである（図２から図７を用いて後述する）。
【００２７】
制御部６１は、プログラムに従い各種制御を行うものであって、ここでは、コンセントボックス４からの問い合わせに応じて自身の機器識別情報（例えば、ホスト名、ＭＡＣアドレス、ＩＰアドレスなど）を返答したりなどするものである。
【００２８】
図２は、本発明のコンセントボックス例を示す。
【００２９】
図２の（ａ）は、コンセントボックスの構成図を示す。
【００３０】
図２の（ａ）において、コンセントボックス４は、既述した図１のコンセントボックス４の詳細構成図であって、ここでは、図示のエラー表示制御装置の部分とフィルタ、情報表示器４２などから構成されるものである。
【００３１】
エラー表示制御装置は、エラー表示、ネットワーク障害の表示、シャットダウン指示の表示などを行うものであって、ここでは、図示のように、制御部４３、送受信部４３４、ＰＬＣ４３５などから構成されるものである。
【００３２】
制御部４３は、プログラムに従い各種制御を行うものであって、ここでは、ＣＰＵ４３１，プログラム／表示用メモリ４３２、フラッシュメモリ４３３、送受信部４３４、ＰＬＣ４３５などから構成されるものである。
【００３３】
ＣＰＵ４３１は、プログラム／表示用メモリ４３２に格納されたプログラムに従い各種制御を行うものである。
【００３４】
プログラム／表示用メモリ４３２は、各種制御を行うためのプログラムや、表示を行うための情報を格納するものである。
【００３５】
フラッシュメモリ４３３は、不揮発性のメモリであって、ここで、構成情報テーブル４４などを記憶するものである。
【００３６】
構成情報テーブル４４は、図２の（ｂ）に示すように、コンセント口に電源ラインが接続された被監視サーバ６の機器識別情報（例えばコンセント番号、ホスト名、ＩＰアドレス、ＭＡＣアドレスなど）の最新のものなどを登録して記憶するものである。
【００３７】
送受信部４３４は、ネットワーク、商用電源ラインを介して他の機器と送受信するものである。
【００３８】
ＰＬＣ４３５は、商用電源ラインを介して高周波信号を用いて他の機器と情報の送受信するための公知のもの（モデム）である。
【００３９】
コンセント口４１は、被監視サーバ６に商用電源ラインを接続して電源を供給するための口（コンセント）である。
【００４０】
情報表示器４２は、コンセント口４１に対応づけて当該コンセント口４１から電源ラインが接続されている被監視サーバ６にエラー発生（ネットワークエラーの発生、シャットダウンコマンドの発行）のときにいずれの被監視サーバ６であるかを特定するための情報を表示（あるいはランプを点灯）するものである。
【００４１】
図２の（ｂ）は、本発明の構成情報テーブル例を示す。図示の構成情報テーブル４４は、図２の（ａ）の不揮発性のフラッシュメモリ４３３に格納されて記憶されるものであって、制御部４３が随時、コンセント口４１に接続されている被監視サーバ６に向けてブロードキャストなどにより接続されている機器識別情報を収集し、最新の機器識別情報に更新して保持するものである（後述する図３参照）。ここでは、構成情報テーブル４４には、図示の下記の情報を対応づけて登録して記憶するものである。
【００４２】
・コンセント番号：
・ホスト名：
・ＩＰアドレス：
・ＭＡＣアドレス：
・その他：
ここで、コンセント番号は、図２の（ａ）のコンセントボックス４のコンセント口４１に付与したコンセント番号である。ホスト名、ＩＰアドレス、ＭＡＣアドレスは、コンセント口４１に接続されていると確認された被監視サーバ６の機器識別情報である、ホスト名、ＩＰアドレス、ＭＡＣアドレスである。
【００４３】
次に、図３のフローチャートの順番に従い、図１、図２の構成のもとで、コンセントボックス４毎に設けた構成情報テーブル４４に最新の機器識別情報に更新するときの手順を詳細に説明する。
【００４４】
図３は、本発明の動作説明フローチャート（被監視サーバの関連付け）を示す。
【００４５】
図３において、ステップＳ１は、ｉ＝１，ｎを実行する。これは、コンセントボックス４のコンセント４１（コンセント口４１）の総数をｎとした場合に、初期値１を変数ｉに初期設定し、繰り返す毎に２，３，４・・・を変数ｉに設定することを繰り返し、ｎまで繰り返す。全てのコンセント４１についてステップＳ２からＳ７までの処理をそれぞれ実行して一連の処理（コンセントボックス４によるコンセントと被監視サーバ６との関連付けの処理）を終了する。
【００４６】
ステップＳ２は、ＣＢｉに対し、ブロードキャストでサーバ名、ネットワーク網用のＩＰアドレス、ＭＡＣアドレスを求めるリクエスト（パケット）を送信する。これは、コンセントボックス４がステップＳ１で変数ｉに設定したコンセントＣＢｉに向けて、ブロードキャストでサーバ名、ＩＰアドレス、ＭＡＣアドレスの返信を求めるリクエストパケットを送信する。
【００４７】
ステップＳ３は、ＣＢｉから、サーバ名、ネットワーク網用のＩＰアドレス、ＭＡＣアドレスを受信する。これは、コンセントボックス４がステップＳ２でブロードキャストでリクエストパケットを送信したことに対応して、該当コンセントＣＢｉに接続されている被監視サーバ６から当該被監視サーバ６のサーバ名（ホスト名）、ＩＰアドレス、ＭＡＣアドレスを設定した返信パケットを受信する。
【００４８】
ステップＳ４は、情報の変化が有りか判別する。これは、ステップＳ３で受信した返信パケットに設定されていた、当該コンセントＣＢｉに接続されている被監視サーバ６のホスト名、ＩＰアドレス、ＭＡＣアドレスが、図２の（ｂ）の構成情報テーブル４４中のコンセント番号がＣＢｉのレコードに設定されているもの（ホスト名、ＩＰアドレス、ＭＡＣアドレス）から変化しているか判別する。ＹＥＳの場合には、ステップＳ５に進む。ＮＯの場合には、前回と同一であると判明したので、ステップＳ７でテーブル（図２の（ｂ）の構成情報テーブル４４）の行を上書きし、ステップＳ８でステップＳ１に戻り繰り返す。
【００４９】
ステップＳ５は、ステップＳ４のＹＥＳで情報の変化がありと判断され、コンセントＣＢｉに接続されている被監視サーバ６が変更された（他の被監視サーバ６に変更された、あるいは取り外された）と判明したので、構成情報テーブル４４の行を最新化するために上書きする。
【００５０】
ステップＳ６は、ステップＳ４で情報変化があると判断され、情報が変化したことを監視サーバ１にネットワークを通じて送信する。
【００５１】
ステップＳ７は、ステップＳ４で情報の変更は無いと判断されているので、情報を最新化するため、構成情報テーブル４４の行の情報に上書きする。
【００５２】
ステップＳ８は、［００４５］に示されているように、ｎの回数繰り返し行う。ｎ回繰り返し処理を行った場合、ステップＳ１に戻り、再度１つ目のコンセントから情報のやり取りを行う。
【００５３】
以上によって、図１、図２のコンセントボックス４が一定時間毎にブロードキャストでコンセントＣＢｉに接続されている被監視サーバ６にホスト名（サーバ名）、ＩＰアドレス、ＭＡＣアドレスなどの機器識別情報のリクエストパケットを送信し、被監視サーバ６から応答パケットを受信したときに構成情報テーブル４４中の該当コンセントＣＢｉのホスト名（サーバ名）、ＩＰアドレス、ＭＡＣアドレスを上書きして更新すると共に、一致しなかったときに監視サーバ１に変更後の情報（変更されたコンセント番号、ホスト名、ＩＰアドレス、ＭＡＣアドレスなど）を送信し、動的（例えば１０分毎）に常に最新のコンセントＣＢｉに接続されている被監視サーバ６の機器識別情報（ホスト名、ＩＰアドレス、ＭＡＣアドレスなど）を登録して管理することが可能となる。
【００５４】
図４は、本発明の動作説明図（エラー検出時）を示す。
【００５５】
図４の（ａ）は、動作説明フローチャートを示す。
【００５６】
図４の（ａ）において、ステップＳ１１は、監視サーバ１が監視対象の被監視サーバ６、コンセントボックス４のエラーを検出する。エラーの検出方法として、右側に記載したように、
・Ｐｉｎｇ応答なし：
・閾値超過：
・ネットワークダウン：
などによってエラーを検出する。ここで、「Ｐｉｎｇ応答なし」は、監視サーバ１がＰＩＮＧコマンドを設定したパケットを全ての被監視サーバ６、コンセントボックス４に送信し、所定時間経過しても応答パケットを受信できなかったときにエラーと検出する。「閾値超過」は、被監視サーバ６で構築時に設定したＣＰＵの使用率が一定値を超えた場合に、メールなどのソフトを使用して監視サーバ１へエラーを通知する。「ネットワークダウン」は、監視サーバ１（あるいは被監視サーバ６）が被監視サーバ６、コンセントボックス４の接続されているネットワークのダウンを検出したときにエラーと検出する。
【００５７】
ステップＳ１２は、監視サーバ１がＣＢｎにエラー表示の必要性ありか判別する。これは、監視サーバ１がステップＳ１１で検出したエラーについて、コンセントボックス４の該当コンセントＣＢｉにエラー表示する必要性があるか判別する。例えば検出したエラーがハードウェアエラーと判明し部品を保守員が交換する必要があると判明した場合には、エラー表示する必要があると判断する。ＹＥＳの場合には、ステップＳ１３に進む。ＮＯの場合には、終了する。
【００５８】
ステップＳ１３は、ステップＳ１２でエラー表示する必要があると判明したので、メッセージを作成する。例えば右側に記載した下記のようなメッセージを設定したパケットを作成する。
【００５９】
・パケットの固定位置に「ｌｉｇｈｔ  ｕｐ  ｅｒｒｏｒ」との表示を埋め込む。
【００６０】
・パケット内には該当機器のホスト名、ＩＰアドレス、ＭＡＣアドレス、その他、エラー情報（例えば”監視サーバの起動失敗”）をデータ部に含める。
【００６１】
ステップＳ１４は、ブロードキャストでメッセージを送信する。これは、ステップＳ１３で作成したメッセージを設定したパケットをブロードキャストで送信する。これにより、エラーの検出された被監視サーバ６が接続されているコンセントボックス４がブロードキャストされた当該パケットを受信し、後述する図５の処理により、該当コンセントＣＢｉの情報表示器にメッセージを表示（あるいは点灯表示）し、エラー検出された被監視サーバ６が接続されているコンセント口４１を明示的にメッセージ表示（点灯表示）し、保守員に知らせることが可能となる。
【００６２】
以上によって、監視サーバ１などが被監視サーバ６（コンセントボックス４）のエラーを検出すると、エラー表示の必要性を判断して必要性がありと判明したときに、メッセージを設定したパケットを該当コンセントボックス４に送信することが可能となる。そして、後述する図５のフローチャートに従い、当該コンセントボックス４が受信したパケットに従い、エラー検出された被監視サーバ６の接続されているコンセントＣＢｉの情報表示器４２にメッセージを表示し、保守員にエラー検出した被監視サーバ６の接続されているコンセント口４１を明示的に表示して知らせることが可能となる。
【００６３】
図４の（ｂ）は、パケット例を示す。これは、図４の（ａ）のステップＳ１４で送信するメッセージを設定したパケット例を示し、ここでは、図示の下記の情報をパケットに設定する。
【００６４】
・宛先ＭＡＣアドレス：
・送信元ＭＡＣアドレス：
・宛先ＩＰアドレス：
・送信元ＩＰアドレス：
・データ部：エラー情報（被監視サーバの起動失敗など）
ここで、メッセージの宛先はブロードキャストで送付し、コンセントボックスにて関係あるかどうか判断する。宛先ＭＡＣアドレス、宛先ＩＰアドレスは、ブロードキャストにてメッセージを送付するため、図４の（ｂ）に表示しているアドレスである。送信元ＭＡＣアドレス、送信元ＩＰアドレスは監視サーバ１のＭＡＣアドレス、ＩＰアドレスである。データ部は、エラー検出した被監視サーバの機器識別情報（ホスト名、ＩＰアドレス、ＭＡＣアドレス）およびそのエラー原因（例えば”起動失敗”）を設定する。そして、当該パケットを受信したコンセントボックス４は、図２の（ｂ）の構成情報テーブル４４を参照してデータ部に設定されたエラー検出された被監視サーバ６の機器識別情報（ホスト名、ＩＰアドレス、ＭＡＣアドレス）をもとに該当コンセントＣＢｉの情報表示器４２にメッセージを表示などし、保守員に知らせる。
【００６５】
図５は、本発明の動作説明フローチャート（コンセントボックスの動作）を示す。
【００６６】
図５において、ステップＳ２１は、コンセントボックス４が監視サーバ１からのブロードキャストメッセージを受信する。これは、コンセントボックス４が既述した図４の（ａ）のステップＳ１４で送信されたパケット（ブロードキャストメッセージ）を受信する。
【００６７】
ステップＳ２２は、エラーメッセージか判別する。これは、ステップＳ２１で受信したパケットに設定されているメッセージが、エラーメッセージか判別する。ＹＥＳの場合には、ステップＳ２３に進む。ＮＯの場合には、終了する。
【００６８】
ステップＳ２３は、変数ｉ＝１，ｎを設定する。これは、変数ｉに初期値１で、続いて繰り返す毎に２，３，４、・・・と続き、ｎまで設定することを繰り返す毎に繰り返し、ｎとなったときに終了する（Ｅｎｄ）。
【００６９】
ステップＳ２４は、テーブルｉ行を読み込む。これは、ステップＳ２３で設定された変数ｉの行に対応する、図２の（ｂ）の構成情報テーブル４４中の該当行ｉのレコードを読み込む。これにより、コンセントボックス４内に設けたコンセント１〜コンセントｎに対応づけて構成情報テーブル４４中に登録されている、現在、接続されている被監視サーバ６の機器識別情報（ホスト名、ＩＰアドレス、ＭＡＣアドレス）を読み込む。
【００７０】
ステップＳ２５は、エラーメッセージ内のＭＡＣアドレスが同一か判別する。これは、ステップＳ２１で受信したパケットのエラーメッセージ内（データ部内）の機器識別情報のうちＭＡＣアドレスが、ステップＳ２４で読み込んだ構成情報テーブル４４のｉ行のレコード中のＭＡＣアドレスと同一であるか判別する。ＹＥＳの場合には、ＭＡＣアドレスが同一であって、エラー検出された被監視サーバ６のＭＡＣアドレスと、構成情報テーブル４４中のｉ行（ｉ番目）のコンセントに接続されている被監視サーバ６のＭＡＣアドレスと同一と判明したので、ステップＳ２６に進む。一方、ＮＯの場合には、ＭＡＣアドレスが同一でないと判明したので、ステップＳ２８でステップＳ２３に戻り繰り返す。
【００７１】
ステップＳ２６は、ステップＳ２５のＹＥＳでＭＡＣアドレスが同一であると判明したので、表示メッセージの組み立てを行う。これは、エラー検出された被監視サーバ６のＭＡＣアドレスと、構成情報テーブル４４中のｉ行のレコード中のＭＡＣアドレスと同一と判明し、エラー検出の被監視サーバ６が見つかったので、当該ｉ行に対応するコンセント口４１の情報表示器４２に表示する表示メッセージを組み立てる。
【００７２】
ステップＳ２７は、ＣＢｉの表示器にメッセージ表示する。これは、ステップＳ２６で組み立てたメッセージを、エラー検出した被監視サーバ６に対応するコンセントボックス４内のコンセント４１の情報表示機４２にメッセージ（例えば起動未確認）を表示する。
【００７３】
以上によって、コンセントボックス４が監視サーバ１からエラー検出をパケットで受信すると、当該エラー検出した被監視サーバ６のＭＡＣアドレスと同一のＭＡＣアドレスを構成情報テーブル４４中から行単位に読み出して見つけ、当該見つけた行に対応するコンセントｉの情報表示器４２にメッセージを表示し、エラー検出した被監視サーバ６が当該コンセントｉに接続されている旨を保守員に明示的に知らせることが可能となる。
【００７４】
図６は、本発明の動作説明フローチャート（シャットダウンコマンドの動作）を示す。
【００７５】
図６において、ステップＳ３１は、被監視サーバ６のシャットコマンド処理を開始する。これは、保守員などが、被監視サーバ６を操作してシャットダウン・コマンド処理の開始を行う。
【００７６】
ステップ３２は、シャットダウン・メッセージを監視サーバ１とコンセントボックス４に送付する。これは、ステップＳ３１でシャットダウン・コマンド処理の開始に対応して、被監視サーバ６がシャットダウン・メッセージを、監視サーバ１とコンセントボックス４にパケットで送信する。
【００７７】
ステップＳ３３は、シャットダウン・メッセージをコンセントボックス４が受信する。
【００７８】
ステップＳ３４は、シャットダウン・メッセージか判別する。これは、コンセントボックス４がステップＳ３３で受信したパケットに、シャットダウン・メッセージが設定されているか判別する。ＹＥＳの場合には、ステップＳ３５に進む。ＮＯの場合には、ここでは、終了する（Ｅｎｄ）。
【００７９】
ステップＳ３５は、変数ｉ＝１，ｎを設定する。これは、変数ｉに初期値１で、続いて繰り返す毎に２，３，４、・・・と続き、ｎまで設定することを繰り返す毎に繰り返し、ｎとなったときに終了する（Ｅｎｄ）。
【００８０】
ステップＳ３６は、テーブルｉ行を読み込む。これは、ステップＳ３５で設定された変数ｉの行に対応する、図２の（ｂ）の構成情報テーブル４４中の該当行ｉのレコードを読み込む。これにより、コンセントボックス４内に設けたコンセント１〜コンセントｎに対応づけて構成情報テーブル４４中に登録されている、現在、接続されている被監視サーバ６の機器識別情報（ホスト名、ＩＰアドレス、ＭＡＣアドレス）を読み込む。
【００８１】
ステップＳ３７は、エラーメッセージ内のＭＡＣアドレスが同一か判別する。これは、ステップＳ３３で受信したパケットのエラーメッセージ内（データ部内）の機器識別情報のうちＭＡＣアドレスが、ステップＳ３６で読み込んだ構成情報テーブル４４のｉ行のレコード中のＭＡＣアドレスと同一であるか判別する。ＹＥＳの場合には、ＭＡＣアドレスが同一であって、エラー検出された被監視サーバ６のＭＡＣアドレスと、構成情報テーブル４４中のｉ行（ｉ番目）のコンセントに接続されている被監視サーバ６のＭＡＣアドレスと同一と判明したので、ステップＳ３８に進む。一方、ＮＯの場合には、ＭＡＣアドレスが同一でないと判明したので、ステップＳ４０でステップＳ３５に戻り繰り返す。
【００８２】
ステップＳ３８は、ステップＳ３７のＹＥＳでＭＡＣアドレスが同一であると判明したので、表示メッセージの組み立てを行う。これは、シャットダウン・メッセージの検出された被監視サーバ６のＭＡＣアドレスと、構成情報テーブル４４中のｉ行のレコード中のＭＡＣアドレスと同一と判明し、シャットダウン・メッセージの被監視サーバ６が見つかったので、当該ｉ行に対応するコンセント口４１の情報表示器４２に表示する表示メッセージを組み立てる。
【００８３】
ステップＳ３９は、ＣＢｉの表示器にメッセージ表示する。これは、ステップＳ３８で組み立てたメッセージを、シャットダウン・メッセージの被監視サーバ６に対応するコンセントボックス４内のコンセント４１の情報表示機４２にシャットダウン・メッセージを表示する。
【００８４】
以上によって、コンセントボックス４がシャットダウン・メッセージを設定したパケットで受信すると、当該シャットダウン・メッセージの被監視サーバ６のＭＡＣアドレスと同一のＭＡＣアドレスを構成情報テーブル４４中から行単位に読み出して見つけ、当該見つけた行に対応するコンセントｉの情報表示器４２にシャットダウン・メッセージを表示し、シャットダウンする被監視サーバ６が接続されたコンセントｉの情報表示器４２にシャットダウン・メッセージを表示して保守員に明示的に知らせることが可能となる。
【００８５】
図７は、本発明の動作説明フローチャート（ネットワークエラー）を示す。
【００８６】
図７において、ステップＳ４１は、被監視サーバ６がネットワーク・エラーを検出する。これは、被監視サーバ６が接続されているネットワーク、ＬＡＮに障害が発生してパケットの送受信ができないネットワークエラーを検出する。
【００８７】
ステップＳ４２は、コンセントボックス４に対してネットワーク・エラー内容を送信する。これは、図１の被監視サーバ６が検出したネットワーク・エラーを設定したパケットを、電源ラインを介して接続されているコンセントボックス４に送信する。
【００８８】
ステップＳ４３は、コンセントボックス４がネットワーク・エラー内容を受信する。これは、コンセントボックス４がステップＳ４２で送信されたパケットを、電源ライン経由で受信する。
【００８９】
ステップＳ４４は、表示メッセージの組み立てを行う。これは、ステップＳ４３で受信したパケットのデータ部に設定されたネットワーク・エラー内容をもとにネットワーク・エラーメッセージを組み立てる。
【００９０】
ステップＳ４５は、ＣＢｉの表示器にメッセージ表示する。これは、ステップＳ４４で組み立てたネットワーク・エラー・メッセージを、受信したコンセント口の情報表示器４２に表示し、当該コンセント口に接続されている被監視サーバ６にネットワーク・エラーが検出されたことを明示的に表示し、保守員に知らせることが可能となる。
【図面の簡単な説明】
【００９１】
【図１】本発明のシステム構成図である。
【図２】本発明のコンセントボックス例である。
【図３】本発明の動作説明フローチャート（被監視サーバの関連付け）である。
【図４】本発明の動作説明図（エラー検出時）である。
【図５】本発明の動作説明フローチャート（コンセントボックスの動作）である。
【図６】本発明の動作説明フローチャート（シャットダウン・コマンドの動作）である。
【図７】本発明の動作説明フローチャート（ネットワーク・エラー）である。
【符号の説明】
【００９２】
１：監視サーバ
１１：制御部
２：ルータ
３：ハブ
４：コンセントボックス
４１：コンセント（コンセント口）
４２：情報表示器
４３：制御部
４４：構成情報テーブル
５：信号合成機
５１：電源ライン
６：被監視サーバ
６１：制御部
７：商用電源
【図１】
2012205158.tif 000003
【図２】
2012205158.tif 000004
【図３】
2012205158.tif 000005
【図４】
2012205158.tif 000006
【図５】
2012205158.tif 000007
【図６】
2012205158.tif 000008
【図７】
2012205158.tif 000009